(57)【要約】本発明は、無線アクセスネットワークおよび複数の移動体端末を有する無線システムにおける移動体端末および通信方法に関する。この移動体端末における処理時間を低減させて周波数間測定を行うために、移動体端末は、無線アクセスネットワークから、複数のインポータンスレイヤを含むスケーラブルデータサービスのデータを受信し、前記無線アクセスネットワークから、周波数間測定を行うための通知を受信し、前記受信された送信データのインポータンスレイヤのサブセットを処理する。
2006526313.tif 000002
【特許請求の範囲】
【請求項１】
無線アクセスネットワークと複数の移動体端末とを有する無線システムにおける通信方法であって、
前記無線アクセスネットワークから周波数間測定を行うための通知を受信する、移動体端末によって行われるステップを具備し、
前記無線アクセスネットワークから、複数の異なるレイヤのデータストリームを含むスケーラブルデータサービスのデータを受信する、前記移動体端末によって行われるステップと、
前記受信された送信データの前記異なるレイヤのデータストリームのサブセットを処理するステップと、
をさらに具備することを特徴とする通信方法。
【請求項２】
前記異なるレイヤのデータストリームのサブセットを処理するステップは、
物理チャネルから前記異なるレイヤのデータストリームの前記サブセットを多重分離するステップを具備する請求項１記載の通信方法。
【請求項３】
前記スケーラブルデータサービスのデータは、
共通トランスポートチャネルまたは個別トランスポートチャネルを介して受信される請求項１または請求項２記載の通信方法。
【請求項４】
前記受信された送信データのインポータンスレイヤのサブセットを処理することによって得られる時間において周波数間測定を行うステップと、
前記周波数間測定の結果から得られたインジケータを前記無線アクセスネットワークに送信するステップと、
をさらに具備する請求項１から請求項３のいずれかに記載の通信方法。
【請求項５】
前記スケーラブルデータサービスのデータのキャリア周波数を変更するための指示を前記無線アクセスネットワークから受信するステップと、
前記スケーラブルデータサービスのデータのキャリア周波数を指示された周波数に変更するステップと、
をさらに具備する請求項１から請求項４のいずれかに記載の通信方法。
【請求項６】
前記無線ネットワークの非アクセス層に、表示プリミティブによって、前記異なるレイヤのデータストリームのサブセットの前記処理を通知するステップをさらに具備する請求項１から請求項５のいずれかに記載の通信方法。
【請求項７】
前記周波数間測定を行う前記無線アクセスネットワークからの前記通知は、
ＭＢＭＳ制御チャネルまたは通知制御チャネルで受信される請求項１から請求項６のいずれかに記載の通信方法。
【請求項８】
前記スケーラブルデータサービスは、
マルチメディアブロードキャスト／マルチキャストサービス（ＭＢＭＳ）である請求項１から請求項７のいずれかに記載の通信方法。
【請求項９】
前記スケーラブルデータサービスは、
マルチキャストデータ送信、および／またはブロードキャストデータ送信を含む請求項１から請求項８のいずれかに記載の通信方法。
【請求項１０】
無線アクセスネットワークと少なくとも移動体端末とを有する無線システムにおける移動体端末であって、
前記無線アクセスネットワークから周波数間測定を行うための通知を受信する受信手段を具備し、
前記受信手段は、
複数の異なるレイヤのデータストリームを含むスケーラブルデータサービスのデータを前記無線アクセスネットワークから受信するよう構成され、
前記移動体端末は、
前記受信された送信データの異なるレイヤのデータストリームのサブセットを処理する処理手段をさらに具備することを特徴とする移動体端末。
【請求項１１】
前記異なるレイヤのデータストリームの前記サブセットを物理チャネルから多重分離する多重分離手段をさらに具備する請求項１０記載の移動体端末。
【請求項１２】
前記受信手段は、
共通トランスポートチャネルを介して前記スケーラブルデータサービスのデータを受信するよう構成されている、請求項１０または請求項１１記載の移動体端末。
【請求項１３】
前記受信された送信データのインポータンスレイヤのサブセットを処理することによって得られる時間において周波数間測定を行う周波数間測定手段と、
前記周波数間測定の結果から得られるインジケータを前記無線アクセスネットワークに送信する送信手段と、
をさらに具備する請求項１０から請求項１２のいずれかに記載の移動体端末。
【請求項１４】
前記受信手段は、
前記スケーラブルデータサービスのデータのキャリア周波数を変更するための指示を前記無線アクセスネットワークから受信するよう構成され、
前記送信手段は、
前記スケーラブルデータサービスのデータのキャリア周波数を指示された周波数に変更するよう構成された請求項１０から請求項１３のいずれかに記載の移動体端末。
【請求項１５】
前記異なるレイヤのデータストリームのサブセットの前記処理を前記無線ネットワークに通知する通知手段をさらに具備する請求項１０から請求項１４のいずれかに記載の移動体端末。
【請求項１６】
前記受信手段は、
ＭＢＭＳ制御チャネルまたは通知制御チャネルで、前記周波数間測定を行うための前記通知を受信するよう構成された請求項１０から請求項１５のいずれかに記載の移動体端末。
【請求項１７】
前記スケーラブルデータサービスは、
マルチメディアブロードキャスト／マルチキャストサービス（ＭＢＭＳ）である請求項１０から請求項１６のいずれかに記載の移動体端末。
【請求項１８】
請求項１０から請求項１７のいずれかに記載の少なくとも１つの移動体端末と、
スケーラブルデータサービスの送信データを前記少なくとも１つの移動体端末に供給する無線アクセスネットワークと、
を具備する通信システム。
【発明の詳細な説明】
【技術分野】
【０００１】
本発明は、スケーラブルデータサービスを行いながら、周波数間測定（ｉｎｔｅｒ−ｆｒｅｑｕｅｎｃｙ  ｍｅａｓｕｒｅｍｅｎｔ）を行う通信方法、移動体端末、および通信システムに関する。
【背景技術】
【０００２】
近年、第３世代パートナーシッププロジェクト（３ＧＰＰ）標準化グループにより、ユニバ−サル移動体通信標準（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｔａｎｄａｒｄ）が規定されている。２００２年３月のリリース５では、マルチレート広帯域音声コーデック、ＩＰベース型マルチメディアサービス（ＩＭＳ：ＩＰ−ｂａｓｅｄ  Ｍｕｌｔｉｍｅｄｉａ  Ｓｅｒｖｉｃｅｓ）、および高速ダウンリンクパケットアクセス（ＨＳＤＰＡ：  Ｈｉｇｈ  Ｓｐｅｅｄ  Ｄｏｗｎｌｉｎｋ  Ｐａｃｋｅｔ  Ａｃｃｅｓｓ）等の高度な特徴が記載されている。
【０００３】
ＵＭＴＳネットワーク構成は、コアネットワーク（ＣＮ：Ｃｏｒｅ  Ｎｅｔｗｏｒｋ）およびＵＭＴＳ地上無線アクセスネットワーク（ＵＴＲＡＮ：ＵＭＴＳ  Ｔｅｒｒｅｓｔｒｉａｌ  Ｒａｄｉｏ  Ａｃｃｅｓｓ  Ｎｅｔｗｏｒｋ）を規定する。ＵＴＲＡＮは、同じエアインターフェイスで、即ち、同じキャリアで、音声およびデータ、また、リアルタイムおよび非リアルタイムのサービスを効率的に行うよう設計されている。このフレームワークには、複数の無線インターフェイスモードが規定されている。基本的には、この規定により、ペア型周波数帯域（ｐａｉｒｅｄ  ｆｒｅｑｕｅｎｃｙ  ｂａｎｄ）での動作のための周波数分割複信（ＵＴＲＡＮ  ＦＤＤ）と非ペア型周波数帯域（ｕｎｐａｉｒｅｄ  ｆｒｅｑｕｅｎｃｙ  ｂａｎｄ）での動作のための時分割複信（ＵＴＲＡＮ  ＴＤＤ）とが区別され、代替的なチップレートおよび帯域の実施を可能にしている。
【０００４】
例えば、ＵＴＲＡＮ  ＦＤＤモードは、アクセス技術として、広帯域ＣＤＭＡ（Ｗ−ＣＤＭＡ）を採用している。Ｗ−ＣＤＭＡは、直接拡散ＣＤＭＡを用い、３８４ｋｂｉｔ／ｓ（ピコセルにおいて２．０４８Ｍｂｉｔ／ｓ）までのビットレートが可能である。このような無線リンクにおける高データレートにより、ＵＭＴＳへのスケーラブルマルチメディアサービスの導入が促進される。この点において、ポイント・トゥ・マルチポイントサービスまたはブロードキャストサービスは、特に、ビデオストリーミングおよびオーディオストリーミングの分野において有用である。
【０００５】
ポイント・トゥ・マルチポイントサービスは、単一のソース部から複数のエンドポイントへのデータ送信を可能にする。これらのサービスは無線ネットワークに広く用いられると予想されており、したがって、公衆陸上移動体ネットワーク（ＰＬＭＮ：Ｐｕｂｌｉｃ  Ｌａｎｄ  Ｍｏｂｉｌｅ  Ｎｅｔｗｏｒｋ）はこれらを効率的にサポートする必要がある。これに関し、マルチメディアマルチキャスト／ブロードキャストサービス（ＭＢＭＳ：Ｍｕｌｔｉｍｅｄｉａ  Ｍｕｌｔｉｃａｓｔ／Ｂｒｏａｄｃａｓｔ  Ｓｅｒｖｉｃｅ）は、ホーム環境付加価値サービスプロバイダ（ＨＥ−ＶＡＳＰ：Ｈｏｍｅ  Ｅｎｖｉｒｏｎｍｅｎｔ  Ｖａｌｕｅ  Ａｄｄｅｄ  Ｓｅｒｖｉｃｅ  Ｐｒｏｖｉｄｅｒ）および他の付加価値サービスプロバイダの行うブロードキャスト／マルチキャストサービスにそのような能力を与えることを意図したものである。
【０００６】
ＭＢＭＳは、単一のソース部から複数の受信者へデータを送信する単方向ポイント・トゥ・マルチポイントベアラサービスである。他のサービスもこのようなベアラ能力を用いることが予想されている。３ＧＰＰは、ＭＢＭＳの２つの動作モード、すなわちブロードキャストモードおよびマルチキャストモードを規定している。マルチキャスト／ブロードキャスト送信に基づいてサービスを行うことの主な動機付けは、同一のコンテンツを複数のユーザに同時に送信するときに無線リソースを効率的に利用できるということである。
【０００７】
マルチキャスト／ブロードキャストモードは、単一のソースからマルチキャスト／ブロードキャストサービスエリア内の全ユーザへの、マルチメディアデータ（例えば、テキスト、オーディオ、画像、映像等）の単方向ポイント・トゥ・マルチポイント送信である。マルチキャスト／ブロードキャストモードは、無線／ネットワークリソースを効率的に用いるためのものである。例えば、データは、単一の論理チャネルを介して送信される。データは、ネットワークによって定められているマルチキャスト／ブロードキャストサービスエリア内に送信される（ホーム環境）。マルチキャストモードにおいては、ネットワークは、マルチキャストサービスエリア内の、１つのマルチキャストグループのメンバーを含むセルに、選択的に送信を行うことができる。
【０００８】
ＭＢＭＳデータ送信は、種々の無線アクセスネットワーク（ＲＡＮ）能力、または種々の無線リソースアベイラビリティに適応する（例えば、ＭＢＭＳデータの伝送速度を低下させることによって）。適切なメカニズムの選択および種類は、ＭＢＭＳステージ２の対象である。
【０００９】
ＭＢＭＳデータの送信は、ポイント・トゥ・マルチポイント論理チャネル（ＭＢＭＳトラフィックチャネル：ＭＴＣＨ：ＭＢＭＳ  Ｔｒａｆｆｉｃ  Ｃｈａｎｎｅｌ）により行われ、一方、ＭＢＭＳ制御情報の送信は、ポイント・トゥ・マルチポイント論理チャネル（ＭＢＭＳ制御チャネル：ＭＣＣＨ：ＭＢＭＳ  Ｃｏｎｔｒｏｌ  Ｃｈａｎｎｅｌ）により行われる。ＭＢＭＳ制御チャネルで送信される唯一の情報が通知（ｎｏｔｉｆｉｃａｔｉｏｎ）に関するものである場合には、このチャネルを通知制御チャネル（ＮＣＣＨ：Ｎｏｔｉｆｉｃａｔｉｏｎ  Ｃｏｎｔｒｏｌ  Ｃｈａｎｎｅｌ）と呼んでもよい。所定の要件（例えば、システム負荷）に応じて、これらの論理チャネルを、個別トランスポートチャネル（ＤＣＨ：Ｄｅｄｉｃａｔｅｄ  ＣＨａｎｎｅｌ）、または、共通トランスポートチャネル（例えばＦＡＣＨ：Ｆｏｒｗａｒｄ  Ａｃｃｅｓｓ  ＣＨａｎｎｅｌ）にマッピングすることができる。
【００１０】
スケーラブルＭＢＭＳのようなスケーラブルデータサービスは、送信されるデータを、異なるレイヤ（インポータンスレイヤとも呼ばれる）のデータストリームに分離可能であることを前提としている。実際には、これらは、１つの基本レイヤおよび１つまたは複数の拡張レイヤに分類される。定義の上では、基本レイヤは、最も低い基準を満たした品質で受信されるサービス（例えば、ビデオストリーミング）に必要なデータを含み、ＭＢＭＳデータストリームのサービスの基本品質を与える。拡張レイヤは、補足データのみを含み、この補足データの受信および後続の処理により、エンドユーザの受けるサービスの品質が、基本レイヤの品質に比べて向上する。
【００１１】
無線ネットワーク、例えば、ＵＭＴＳのＵＴＲＡＮでは、セル内のサービスを、複数の周波数キャリアで提供することができる。異なる周波数によって分離されたこれらの新しいセルは、通常、同じカバレッジ（通信可能地域）を有し、地理的に連接したマルチレイヤセル構造を形成する。周波数間ハンドオーバ（ｉｎｔｅｒ−ｆｒｅｑｕｅｎｃｙ  ｈａｎｄｏｖｅｒ）、即ち、周波数間セル変更（ｉｎｔｅｒ−ｆｒｅｑｕｅｎｃｙ  ｃｅｌｌ  ｃｈｅｎｇｅ）は、周波数キャリア間の負荷の均衡を保つために行われ、各周波数キャリア上で多数のユーザを持つことが可能である。周波数間ハンドオーバは、無線ネットワーク制御装置（ＲＮＣ：Ｒａｄｉｏ  Ｎｅｔｗｏｒｋ  Ｃｏｎｔｒｏｌｌｅｒ）内に設けられる無線リソース制御部（ＲＲＣ：Ｒａｄｉｏ  Ｒｅｓｏｕｒｃｅ  Ｃｏｎｔｒｏｌ）により制御される。
【００１２】
周波数間セル変更は、ユーザ機器（ＵＥ：Ｕｓｅｒ  Ｅｑｕｉｐｍｅｎｔ）または移動体端末によって行われる周波数間測定と一緒に行われてもよく、一緒に行われなくてもよい。前者の場合、ネットワークは、最初に、ＵＥに対し、周波数間測定を行うよう指示する。最後に、無線アクセスネットワーク（ＲＡＮ）は、測定結果に基づいて、周波数間ハンドオーバを実行すべきか否かを決定する。または、この決定はＵＥに委ねられてもよい。
【００１３】
非特許文献１（３ＧＰＰから入手可能）には、ＦＡＣＨ等の共通トランスポートチャネル上のデータ送信においてセル全体をカバーする必要がある場合、単一の６４ｋｂｐｓのＭＢＭＳに、セクタ総電力の６６％を割り当てなければならないことが記載されている。スケーラブルＭＢＭＳ送信の使用の一例は、セルエッジ近傍に位置するユーザに対してはインポータンスレイヤのうち基本レイヤのみを送信することで電力要件を緩和させ、ユーザが、データを送信する無線アクセスネットワークのノードＢに近づくにつれて、拡張レイヤの数を次第に増加させてゆく例である。この技術を、図１１に示す。
【００１４】
これまでのところ、ＭＢＭＳにおけるスケーラビリティは、３ＧＰＰの該当する標準化団体で議論されておらず、ＲＡＮでサポートするべきかどうかも定かではない。さらには、スケーラブルＭＢＭＳ送信をサポートするのに十分な情報をＲＡＮで得ることができるということが前提となる。スケーラビリティが、ＲＡＮにおいてサポートされた場合、異なるインポータンスレイヤによる送信をサポートする１つ以上の論理チャネル（ＭＴＣＨ）を有することができる。論理チャネルを扱うためのＭＢＭＳ特有の機能は、現在、ＲＮＣのメディアアクセス制御ＭＡＣ  ｃ／ｓｈ／ｍ部に配置されている。
【００１５】
フルデュアルレシーバ端末のないＣＤＭＡシステムにおいて他の送信周波数の測定を行う場合には、通常、コンプレストモード測定（詳細は、例えば、非特許文献２参照）が行われる。このモードは、処理時間の大幅な増加なしにＵＥが測定を行えるようにするための送信ビットの操作方法の一例として考えることができる。
【００１６】
「コンプレストモード」とは、他の周波数の測定を行うために、ＵＥでの送受信が、短時間の間隔の間、中断されることを意味する。この間隔においては、ＵＥに受信されるフレーム内には、ＲＡＮによるギャップが導入されており、これによりＵＥが測定を行なうことができる。時間領域、すなわち、一時間フレーム内に送信されるべきデータを圧縮することにより、送信ギャップが生成される。
【００１７】
フレーム圧縮には、三つの方法がある。第１の方法は、拡散率を低下させて、利用可能なデータレートを増加させる方法である。拡散率の低下は、多くの場合、そのフレームにおける送信電力を増加させることで補償される。第２の方法は、物理レイヤでパンクチャリングを行って、データレートを低下させる方法である。パンクチャリングには実際的な制限があるため、これは、短めの送信ギャップの生成に限定される。そして、第３の方法は、上位レイヤでスケジューリングを行い、物理レイヤに送出されるデータレートを低下させる方法である。
【００１８】
図９は、拡散率の低減を、そのフレームの送信電力を増加することで補償するコンプレスト測定モードにおける、フレームレベルでの物理チャネルの送信を示している。図１０は、送信ギャップを上位レイヤのスケジューリングにより実現するコンプレストモードにおける、フレームレベルでの物理チャネルの送信を図示している。
【００１９】
ＵＴＲＡＮからのコマンドに基づいて、ＵＥは、他の周波数のセル、および当該セルのサポートする他のモードおよび無線アクセス技術の他のセルをモニタする。ＵＥが周波数間測定を行えるように、ＵＴＲＡＮは、当該ＵＥに、周波数間測定に備えて「コンプレストモード」に入るよう指示する。
【非特許文献１】Ｌｕｃｅｎｔ  Ｔｅｃｈｎｏｌｏｇｉｅｓ  Ｔｄｏｃ  Ｒ２−０２２１１０「Ｐｏｗｅｒ  Ｕｓａｇｅ  ｆｏｒ  ＭＢＭＳ」
【非特許文献２】３ＧＰＰ  ＴＳ  ２５．２１５  「Ｐｈｙｓｉｃａｌ  ｌａｙｅｒ−Ｍｅａｓｕｒｅｍｅｎｔｓ（ＦＤＤ）」
【非特許文献３】３ＧＰＰ  ＴＳ  ２５．３０１「Ｒａｄｉｏ  Ｉｎｔｅｒｆａｃｅ  Ｐｒｏｔｏｃｏｌ  Ａｒｃｈｉｔｅｃｔｕｒｅ」
【発明の開示】
【００２０】
ＭＢＭＳは、異なる基地局（ノードＢ）により制御されるセル間の移動をサポートする。基地局当たり複数のＷ−ＣＤＭＡキャリアが用いられる場合には、これらは通常、負荷の均衡を保つためか、または、カバレッジを拡張するために用いられる。地理的に隣接するセル間では、同じキャリアで、ＭＢＭＳコンテンツを送信する必要のないことは明らかである。異なるノードＢにより制御されるセル間のユーザの移動によって、同じＭＢＭＳグループに属しながら、異なる周波数キャリアを介してＭＢＭＳコンテンツを受信するユーザの組も存在し得る。したがって、無線効率のためには、単一のＷ−ＣＤＭＡキャリアでＭＢＭＳコンテンツを送信することが望ましい。例えば、ＲＡＮは、同じＭＢＭＳグループに属する全ユーザを、単一の周波数キャリアに移動させようとしてもよい。
【００２１】
この決定をより正確に行うには、周波数間測定のためのメカニズムが必要になる。
【００２２】
したがって、本発明の目的は、周波数間測定を行なうための、移動体端末における処理時間を低減させることである。
【００２３】
本発明のこの目的は、独立請求項によって解決される。さらなる実施の形態は、従属請求項の対象である。
【００２４】
本発明は、無線アクセスネットワークおよび複数の移動体端末を有する無線システムにおける通信方法を提供する。前記システムの移動体端末は、前記無線アクセスネットワークから、複数のインポータンスレイヤを含むスケーラブルデータサービスのデータを受信し、前記無線アクセスネットワークから周波数間測定を行うための通知を受信し、前記端末での周波数間測定の処理負荷軽減のために、前記受信された送信データの前記インポータンスレイヤのサブセットを処理する。
【００２５】
本発明の一実施の形態においては、前記インポータンスレイヤの前記サブセットは、物理チャネルから多重分離される。最下位レイヤでさらに処理されるべきデータのみを物理チャネルから多重分離することによって、処理データ量を大幅に減少することができ、これにより、処理時間を低減させ、その時間を周波数間測定に用いることができる。
【００２６】
本発明の他の実施の形態においては上述の方法を、共通トランスポートチャネルまたは個別トランスポートチャネルを介して受信された前記スケーラブルデータサービスのデータに適用することができる。この実施の形態は、通常、送信に共通トランスポートチャネルを用いるブロードキャスト送信に関するものである。共通トランスポートチャネルのデータは複数の移動体端末によって受信されるため、周波数間測定を可能にするには、移動体端末のデータレートを低減させることがより効果的である。これは、無線アクセスネットワークにおけるスケジューリングによるデータレートの低減は、このデータストリームを受信する全移動体端末に対して送信されるスケーラブルサービスデータのサービス品質を低下させるからである。
【００２７】
さらに、前記移動体端末は、前記送信データの前記インポータンスレイヤのサブセットを処理して得られる時間において周波数間測定を行い、そして、前記周波数間測定の結果より得られるインジケータを、前記無線アクセスネットワークに送信する。
【００２８】
無線アクセスネットワークが、システムリソースをより有効に利用するために移動体端末を他のキャリア周波数に移動させるよう決定した場合、前記移動体端末は、前記無線アクセスネットワークから前記スケーラブルデータサービスのデータのキャリア周波数を変更するための指示を受信して、前記スケーラブルデータサービスのデータの前記キャリア周波数を、前記指示された周波数に変更する。
【００２９】
前記無線ネットワーク内の非アクセス層（ｎｏｎ  ａｃｃｅｓｓ  ｓｔｒａｔｕｍ）に、表示プリミティブを用いて、前記インポータンスレイヤのサブセットの選択的処理を通知してもよい。表示プリミティブの定義については、非特許文献３を参照されたい。これは、スケーラブルサービスの配信が、移動体端末に提供されるサービスの品質（Ｑｕａｌｉｔｙ  ｏｆ  Ｓｅｒｖｉｃｅ）に基づいて課金される場合に、望ましい。
【００３０】
周波数間測定を行うための前記無線アクセスネットワークからの前記通知は、ＭＢＭＳ制御チャネルまたは通知制御チャネルＮＣＣＨで受信してもよい。
【００３１】
前記スケーラブルデータサービスは、マルチメディアブロードキャスト／マルチキャストサービス（ＭＢＭＳ）であってもよい。さらに、前記スケーラブルデータサービスは、マルチキャストデータ送信、および／または、ブロードキャストデータ送信を有してもよい。
【００３２】
さらに、本発明は、無線アクセスネットワークおよび少なくとも移動体端末を有する無線システムにおける移動体端末を提供する。前記移動体端末は、前記無線アクセスネットワークからスケーラブルデータサービスのデータを受信する受信手段を有し、前記受信されたデータは、複数のインポータンスレイヤを有する。さらに、前記受信手段は、前記無線アクセスネットワークから、周波数間測定を行うための通知を受信するよう構成されている。
【００３３】
端末は、さらに、スケーラブルデータサービスの送信データを処理する時間を短縮するための処理手段を具備してもよく、前記処理手段は、前記受信された送信データの前記インポータンスレイヤのサブセットを処理するよう構成されている。
【００３４】
さらに、前記移動体端末は、物理チャネルから、前記インポータンスレイヤのサブセットを多重分離する多重分離手段を有してもよい。
【００３５】
本発明の他の実施の形態において、前記受信手段が、共通トランスポートチャネルを介して、前記スケーラブルデータサービスの前記データを受信するよう構成されている。
【００３６】
前記移動体端末は、さらに、前記受信された送信データの前記インポータンスレイヤのサブセットを処理するのみによって得られる時間において周波数間測定を行う測定手段と、周波数間測定の結果を前記無線アクセスネットワークに送信する送信手段と、を有してもよい。
【００３７】
端末への新しいキャリア周波数の割り当てを可能にするために、前記移動体端末の前記受信手段は、前記無線アクセスネットワークから前記スケーラブルデータサービスのデータのキャリア周波数を変更するための指示を受信するよう構成されていてもよく、また、前記送信手段は、前記スケーラブルデータサービスのデータの前記キャリア周波数を、前記指示された周波数に変更するよう構成されている。
【００３８】
ＭＢＭＳのようなスケーラブルデータサービスは、通常、受信されたサービスの品質に基づいて課金されるから、前記移動体端末は、さらに、前記無線ネットワークの非アクセス層に、前記インポータンスレイヤのサブセットの前記選択的処理を通知するための通知手段を有することが望ましい。これにより、移動体端末は、課金部を有してもよい非アクセス層に、周波数間測定を行う際は低品質のサービスを受信することを通知することができる。これは、スケーラブルデータサービスに関してユーザに課金するときに考慮してもよい。
【００３９】
他の実施の形態において、前記受信手段は、前記スケーラブルデータサービスの制御チャネルまたは通知制御チャネルで、前記無線アクセスネットワークから前記周波数間測定を行う通知を受信するよう構成されている。
【００４０】
さらに、本発明は、少なくとも１つの上述の移動体端末と、スケーラブルデータサービスの送信データを、前記少なくとも１つの移動体端末に供給するための無線アクセスネットワークと、を有する通信システムに関する。
【発明を実施するための最良の形態】
【００４１】
以下、本発明の有利な実施の形態を示す添付図面を参照して、本発明をより詳細に説明する。
【００４２】
図において、同様のまたは対応する細部には、同一の参照符号が付される。
【００４３】
図１〜図８は、移動体端末（ＵＥ１０１）の周波数間セル変更の一シナリオを示す。
【００４４】
図１に、ノードＢ１０２および無線ネットワーク制御装置（ＲＮＣ）１０３を有する無線アクセスネットワーク（ＲＡＮ）を示す。これらの図は、ソースセル１０４とターゲットセル１０５とが、同一のノードＢ１０２の制御下にあるよう図示しているが、これらのセルを２つの異なるノードＢにより制御してもよい。これらの図に示されるＵＥ１０１の周波数間セル変更の例において、主な役割を果たすのはソースセル１０４におけるキャリア周波数（ソース周波数）およびターゲットセル１０５におけるキャリア周波数（ターゲット周波数）であり、セルを制御するための要素ではないことに注意されたい。
【００４５】
一般に、ＲＮＣ１０３は、メディアアクセス制御（ＭＡＣ：Ｍｅｄｉａ  Ａｃｃｅｓｓ  Ｃｏｎｔｒｏｌ）部、無線リンク制御（ＲＬＣ：Ｒａｄｉｏ  Ｌｉｎｋ  Ｃｏｎｔｒｏｌ）部、無線リソース制御（ＲＲＣ：Ｒａｄｉｏ  Ｒｅｓｏｕｒｃｅ  Ｃｏｎｔｒｏｌ）部、ブロードキャスト／マルチキャスト制御（ＢＭＣ：Ｂｒｏａｄｃａｓｅ／Ｍｕｌｔｉｃａｓｔ  Ｃｏｎｔｒｏｌ）部、およびＲＡＮのパケットデータコンバージェンスプロトコル（ＰＤＣＰ：Ｐａｃｋｅｔ  Ｄａｔａ  Ｃｏｎｖｅｒｇｅｎｃｅ  Ｐｒｏｔｏｃｏｌ）を実装する。
【００４６】
ＲＮＣのＲＲＣは、異なるキャリア周波数間のハンドオーバのために設けられている。さらに、ＲＮＣ１０３はコアネットワークＣＮに接続されていてもよい。この例においては、さらに、ノードＢ１０２のセル１０４、１０５のそれぞれにおいて、２つのＷ−ＣＤＭＡキャリア周波数ｆ１およびｆ２が、送信に使用されると仮定する。他のアクセス手法を使用してもよいことは明らかである。
【００４７】
ソースセル１０４およびターゲットセル１０５のＵＥ１０１、１０６、１０７は、スケーラブルＭＢＭＳ等のスケーラブルデータサービスに参加している。サービスデータの送信は、マルチキャスト送信の場合には、個別トランスポートチャネルを用いてポイント・トゥ・ポイントベースで行い、ブロードキャスト送信の場合には、共通トランスポートチャネルを用いて、ポイント・トゥ・マルチポイントベースで行うことができる。
【００４８】
ＵＥ１０６、１０７は、ターゲットセル１０５内において、キャリア周波数ｆ２でスケーラブルサービスデータ（ＭＢＭＳデータ）を受信する。ＲＡＮのＲＮＣ１０３は、ソースセル１０４およびターゲットセル１０５で利用可能なサービス（例えば、ブロードキャストサービス）を、既知の共通チャネル（例えば、ＭＣＣＨまたはＮＣＣＨ）でアナウンスする。このアナウンスにより、ＵＥ１０１、１０６、１０７に対し、利用可能なサービスおよびこれらＵＥのキャリア周波数の情報を通知することができる。さらに、同じサービスを２つの異なるキャリア周波数で同一セル内に配信してもよい。これは、利用可能な無線リソースを大幅に低減させる。
【００４９】
ＲＡＮからアナウンスを受信した後、ＵＥ１０１は、スケーラブルデータサービス、すなわちブロードキャストサービスの送信データを、送信ソースから受信する。この送信ソース（マルチキャストサービスソース）は、図２に示されるように、コアネットワークＣＮ内に位置してもよいし、または、コアネットワークＣＮがさらに接続（ａｔｔａｃｈ）されるＰＬＭＮ内に位置してもよい。
【００５０】
図２は、ＵＥ１０１への、ブロードキャストサービスのデータ配信（２０１、２０２）を示す。図２に示されるように、ＲＡＮは、ノードＢ１０２からＵＥ１０１への送信データの送信に、キャリア周波数ｆ１を使用する。
【００５１】
図３では、ＵＥ１０１が、ソースセル１０４からターゲットセル１０５に移動している。すなわち、ハンドオーバが行われている。ソースセル１０４からターゲットセル１０５へ移動した後も、ＵＥ１０１はキャリア周波数ｆ１でブロードキャストデータを受信し続ける（３０１）。
【００５２】
ＵＥ１０１のブロードキャストサービスを同様に購入している、ターゲットセル１０５に位置するＵＥ１０６、１０７は、キャリア周波数ｆ２で、このブロードキャストサービスの送信データを受信する（３０２）。
【００５３】
上に示したように、ＲＮＣ１０３は、ＭＣＣＨまたはＮＣＣＨ、もしくは他の制御チャネルを介して、スケーラブルデータ送信の構成をＵＥ１０１に通知し、ターゲットセル１０５において利用可能なスケーラブルＭＢＭＳサービスをアナウンスする。さらに、ＲＮＣ１０３は、ターゲットセル１０５内のＭＢＭＳまたはスケーラブルサービスの配信に用いられるチャネルのタイプをＵＥ１０１に通知してもよい。共通トラフィックチャネルは、ブロードキャスト送信に用いることができ、また、個別チャネルまたは共通トラフィックチャネルは、マルチキャスト送信に用いることができる。
【００５４】
前述のように、ＭＢＭＳサービスデータのようなスケーラブルサービスデータの送信においては、１つのキャリア周波数でセクタが利用可能な総送信電力のほとんどが消費される。
【００５５】
しかし、同じＭＢＭＳサービスを受信するＵＥ１０１、１０６、１０７が、図３に示されるように、同一セル内で同じキャリア周波数を用いているとは限らない。よって、ＲＡＮは、全ＵＥ１０１、１０６、１０７を、単一のキャリア周波数に移動させようとしてもよい。
【００５６】
図４は、無線アクセスネットワークのターゲットセル１０５へ加わった後に周波数間測定を行うようＵＥ１０１に指示するために移動体端末１０１への通知を送信する無線アクセスネットワークを示している。これらの測定の結果に基づいて、ＲＡＮはブロードキャストサービスのさらなる受信に関し、ＵＥ１０１をキャリア周波数ｆ２に移動させるか否かを決定する。ＲＮＣ１０３は、ノードＢ１０２を介してＵＥ１０１に通知メッセージを送ってもよい（４０１）。このメッセージは、移動体端末１０１に周波数間測定を行うよう指示するものである。
【００５７】
測定は、共通パイロットチャネル（ＣＰＩＣＨ）の観測から得られる数量に依存する。これまで、以下の３つのタイプの数量が、測定処理に関して規定されている（例えば、非特許文献２を参照）。
【００５８】
受信信号コード電力（ＲＳＣＰ：Ｒｅｃｅｉｖｅｄ  Ｓｉｇｎａｌ  Ｃｏｄｅ  Ｐｏｗｅｒ）：パイロットシンボルで規定された逆拡散後の１コードの受信電力。
受信信号強度インジケータ（ＲＳＳＩ：Ｒｅｃｅｉｖｅｄ  Ｓｉｇｎａｌ  Ｓｔｒｅｎｇｔｈ  Ｉｎｄｉｃａｔｏｒ）：チャネル帯域内の広帯域受信電力。
Ｅｃ／Ｎｏ：ＲＳＣＰをチャネル帯域内の総受信電力で割ることで規定される、即ち、ＲＳＣＰ／ＲＳＳＩ。
【００５９】
図５において、ＵＥ１０１は、この時点で周波数間測定を行うことができる（５０１）。測定を行うためのＵＥ１０１の処理負荷を軽減するために、ＵＥ１０１は、受信したブロードキャストサービスデータのインポータンスレイヤのサブセットのみを、選択的に処理する。
【００６０】
図１２は、送信データの異なるレイヤが、どのようにＲＡＮの物理チャネルにマッピングされるかを図示する。スケーラブルサービスのブロードキャスト送信においては、１つの基本レイヤおよび１つ以上の拡張レイヤを物理チャネルに多重化し、周波数間測定のためにＵＥ１０１の使用可能な時間ギャップが通常送信フォーマット中に生じないようにする。
【００６１】
したがって、ＵＥ１０１は、受信したインポータンスレイヤのサブセットのみを処理し、これにより処理時間が低減される。この時間を測定に用いることができる。例えば、ＵＥ１０１は、受信したブロードキャストデータストリームの拡張レイヤを処理せず、基本レイヤのみを処理することができる。これにより、拡張レイヤのフレーム長に相当する、処理の行われない時間が与えられる。この時間を、周波数間測定に用いることができる。
【００６２】
本発明の他の実施の形態では、処理されるインポータンスレイヤは、ＵＥ１０１における多重分離レベルで選択される。ＵＥ１０１は、物理チャネルで受信したデータストリームから、さらに処理されることとなるインポータンスレイヤのみを多重分離する。処理されないインポータンスレイヤ（この場合、拡張レイヤ）のデータは、ＵＥ１０１で破棄してもよい。
【００６３】
処理時間の削減は、サービス品質を低下させることで、達成される。課金等の目的のために、ＵＥ１０１は、周波数間測定中にブロードキャストストリームのインポータンスレイヤを選択的に処理する際に、システムの課金部として機能する非アクセス層（ｎｏｎ  ａｃｃｅｓｓ  ｓｔｒａｔｕｍ）に通知する（５０２）ことが望ましい。例えば、この目的のために、ＭＢＭＳ測定表示のようなプリミティブを、ＵＥ側でスケーラブルＭＢＭＳ送信を行うための要素、例えば、ＭＡＣ  ｃ／ｓｈ／ｍ部からＲＡＮのＲＲＣまたは上位レイヤに送信してもよい。
【００６４】
ＭＡＣ  ｃ／ｓｈ／ｍ部の構成例を図１３に示す。ＭＢＭＳコンテンツが、ＭＢＭＳ共通トランスポートチャネルＦＡＣＨを介して送信されると仮定する。当該表示プリミティブを、ＭＡＣ制御サービスアクセスポイントを介して、上位レイヤに転送してもよい。このプリミティブは、受信ＱｏＳの相対的な低減を評価するのに有用な情報（例えば、省かれた拡張レイヤの数など）を含んでもよい。同一のＭＢＭＳグループに属するユーザは、１つのＭＢＭＳ識別子（ＩＤ）によって識別される。トランスポートチャネルが多重化されている場合には、ブロックＴＣＴＦ  ＤＥＭＵＸが、適用可能である。
【００６５】
周波数間測定を終えたＵＥ１０１は、図６に示すように、その結果をＲＡＮに報告してもよい（６０１）。ＵＥ１０１は、測定結果を直接ＲＡＮに通知してもよいし、または、所定の品質要件を満たすか否かをＲＡＮに通知するための特別のインジケータを用いてもよい。
【００６６】
測定結果の報告を受けて、ＲＡＮは、そのＲＡＮが、ＵＥ１０１を、マルチキャストデータを受信するための別のキャリア周波数に移動させることを許可するための、いくつかの品質要件が満たされているか否かを判定する。
【００６７】
周波数間測定結果を報告するためのインジケータがＵＥ１０１によって用いられている場合には、ＲＡＮは、ＵＥ１０１のセル変更を開始すべきか否かを、信号の情報から直接決定してもよい。これらの品質要件は、ＵＥ１０１によって行なわれた周波数間測定、即ち、上述の測定結果値に基づく。
【００６８】
品質要件が満たされ、ＲＮＣ１０３がマルチキャストデータの受信／送信のための他のキャリア周波数にＵＥ１０１を移動させると、ＲＮＣ１０３は、ＵＥ１０１に新しいキャリア周波数ｆ２に切り替えるよう通知する（７０１）。この処理を図７に示す。
【００６９】
最終的に、図８に示すように、ＵＥ１０１は、ターゲットセル１０５内の全ＵＥによってマルチキャストサービスの受信に用いられるキャリア周波数ｆ２で、新たにスケーラブルサービスデータを受信する（８０１）。このように、上述の本発明の通信方法によって、ＲＡＮは１つのスケーラブルデータサービスを受信する全ＵＥ１０１、１０６、１０７を、単一のキャリア周波数ｆ２に移動させることができる。したがって、セル内の利用可能な送信電力を、スケーラブルデータサービスの送信に用いる必要がないため、セル内の無線リンク効率を大幅に向上させることができる。
【００７０】
スケーラブルＭＢＭＳの周波数間測定の基本原理を、一般的なＭＢＭＳ原理に基づいて説明した。当業者には、上記原理は、サービスデータのスケーラブル送信を行うＭＢＭＳまたは他サービスの異なる構成およびチャネルに直接適用できることは明らかである。
【００７１】
ここで説明した送信フォーマットは、特にＷ―ＣＤＭＡ無線インターフェイスへのインポータンスレイヤの時間多重化に適している。当業者には、この思想が、異なるタイプの多重化、例えば、Ｗ―ＣＤＭＡ無線インターフェイスのためのコード多重化またはＯＦＤＭ無線インターフェイスのためのサブキャリア多重化にも広く適用できることは明らかである。
【図面の簡単な説明】
【００７２】
【図１】移動体端末がマルチキャストグループに加わる無線アクセスネットワークを示す。
【図２】スケーラブルサービスデータがコアネットワークから移動体端末に供給される無線アクセスネットワークを示す。
【図３】移動体端末が新しいセルに加わりコアネットワークからスケーラブルサービスデータを受信する無線アクセスネットワークを示す。
【図４】移動体端末が新しいセルへの加わった後に周波数間測定を行う無線アクセスネットワークを示す。
【図５】移動体端末が周波数間測定を行い課金部にスケーラブルデータサービスのサービス品質低下を報告する無線アクセスネットワークを示す。
【図６】移動体端末が測定結果を報告する無線アクセスネットワークを示す。
【図７】スケーラブルサービスデータを受信するための新しい送信周波数を移動体端末に割り当てる無線アクセスネットワークを示す。
【図８】割り当てられた受信周波数で移動体端末がスケーラブルサービスデータを受信する無線アクセスネットワークを示す。
【図９】拡散率を低減させることによるコンプレストモードデータ送信を示す。
【図１０】上位レイヤのスケジューリングによるコンプレストモードのデータ送信を示す。
【図１１】スケーラブルＭＢＭＳ送信の一例を示す。
【図１２】物理チャネル上の送信データのインポータンスレイヤの多重化を示す。
【図１３】移動体端末におけるＭＡＣ  ｃ／ｓｈ／ｍ構成を示す。
【図１】
2006526313.tif 000003
【図２】
2006526313.tif 000004
【図３】
2006526313.tif 000005
【図４】
2006526313.tif 000006
【図５】
2006526313.tif 000007
【図６】
2006526313.tif 000008
【図７】
2006526313.tif 000009
【図８】
2006526313.tif 000010
【図９】
2006526313.tif 000011
【図１０】
2006526313.tif 000012
【図１１】
2006526313.tif 000013
【図１２】
2006526313.tif 000014
【図１３】
2006526313.tif 000015
【国際調査報告】
2006526313.tif 000016
2006526313.tif 000017
2006526313.tif 000018